【手続補正書】
【提出日】平成17年5月31日(2005.5.31)
【手続補正１】
【補正対象書類名】明細書
【補正対象項目名】特許請求の範囲
【補正方法】変更
【補正の内容】
【特許請求の範囲】
【請求項１】
露光装置と、前記露光装置により作像された潜像を元にトナー像を作成する作像装置を備え、前記トナー像を転写材に定着することにより転写材に対して画像を印刷する画像形成装置において、
前記露光装置が露光準備動作を開始してから露光準備動作が完了するまでに要する露光準備完了予定時間を予め記憶している記憶手段と、前記露光装置が露光準備動作を開始してから経過した経過時間を計測する計測手段と、前記計測手段により計測した経過時間が前記記憶手段に記憶している露光準備完了予定時間に一致したときに露光準備完了と判定する判定手段と、前記計測手段により計測した経過時間が、前記記憶手段に記憶している露光準備完了予定時間から作像高電圧の立ち上げ時間を差し引いた時間に一致したときに、前記作像高電圧の立ち上げを開始させる手段を備え、前記露光準備完了とほぼ同時に前記作像高電圧の立ち上げを完了させることを特徴とする画像形成装置。
【請求項２】
請求項１記載の画像形成装置において、
前記露光装置は、ポリゴンモータおよびレーザ露光ユニットから構成され、前記作像装置は、前記作像高電圧を発生する高圧ユニット，現像ユニット，トナー補給ユニットから構成されていることを特徴とする画像形成装置。
【請求項３】
請求項１記載の画像形成装置において、
前記露光装置は、複数セットから構成され、前記作像装置は、複数セットから構成されていることを特徴とする画像形成装置。
【請求項４】
請求項１記載の画像形成装置において、
前記露光装置が露光準備完了するための所要時間は、前記作像装置が作像準備完了するための所要時間よりも長いことを特徴とする画像形成装置。
【請求項５】
請求項１記載の画像形成装置において、
前記記憶手段は、複数の露光準備完了予定時間を記憶した露光準備完了予定時間テーブルを有しており、前記露光装置が露光準備動作を開始する直前の前記画像形成装置内の温度および／または湿度を元に、前記露光準備完了予定時間テーブル内の一つの露光準備完了予定時間を選択して所要の露光準備完了予定時間とすることを特徴とする画像形成装置。
【請求項６】
請求項１記載の画像形成装置において、
前記記憶手段は、複数の露光準備完了予定時間を記憶した露光準備完了予定時間テーブルを有しており、前記露光装置が露光準備動作を開始する時の画像形成モードに従って、前記複数の露光準備完了予定時間のうちの一つを選択して所要の露光準備完了予定時間とすることを特徴とする画像形成装置。
【請求項７】
露光装置と、前記露光装置により作像された潜像を元にトナー像を作成する作像装置を備え、前記トナー像を転写材に定着することにより転写材に対して画像を印刷する画像形成装置において、
前記露光装置が露光準備動作を開始してから露光準備動作が完了するまでの露光準備完了予定時間を予め記憶している記憶手段と、前記露光装置が動作を開始してからの経過時間を計測する計測手段と、前記露光装置の動作準備完了を検知する検知手段と、前記計測手段により計測した経過時間が前記記憶手段に記憶されている露光準備完了予定時間だけ経過時に、前記検知手段により前記露光装置の動作準備完了を検知している場合は、前記経過時に露光準備完了を判定し、前記検知手段により前記露光装置の動作準備完了を検知していない場合は、その後前記検知手段により前記露光装置の動作準備完了を検知したときに前記露光装置の露光準備動作完了を判定する判定手段とを備え、前記計測手段により計測した露光準備経過時間が、前記記憶手段に記憶している露光準備完了予定時間から作像高電圧の立ち上げ時間を差し引いた時間に一致したときに、前記作像高電圧の立ち上げを開始させる手段を備え、前記露光準備完了とほぼ同時に前記作像高電圧の立ち上げを完了させることを特徴とする画像形成装置。
【請求項８】
請求項７記載の画像形成装置において、
前記露光装置は、ポリゴンモータおよびレーザ露光ユニットから構成され、前記作像装置は、前記作像高電圧を発生する高圧ユニット，現像ユニット，トナー補給ユニットから構成されていることを特徴とする画像形成装置。
【請求項９】
請求項７記載の画像形成装置において、
前記露光装置は、複数セットから構成され、前記作像装置は、複数セットから構成されていることを特徴とする画像形成装置。
【請求項１０】
請求項７記載の画像形成装置において、
前記露光装置が露光準備完了するための所要時間は、前記作像装置が作像準備完了するための所要時間よりも長いことを特徴とする画像形成装置。
【請求項１１】
請求項７記載の画像形成装置において、
前記記憶手段は、複数の露光準備完了予定時間を記憶した露光準備完了予定時間テーブルを有しており、前記露光装置が露光準備動作を開始する直前の前記画像形成装置内の温度および／または湿度を元に、前記露光準備完了予定時間テーブルのうちの一つ露光準備完了予定時間を選択して所要の露光準備完了予定時間とすることを特徴とする画像形成装置。
【請求項１２】
請求項７記載の画像形成装置において、
前記記憶手段は、複数の露光準備完了予定時間を記憶した露光準備完了予定時間テーブルを有しており、前記露光装置が露光準備動作を開始する時の画像形成モードに従って、前記複数の露光準備完了予定時間のうちの一つを選択して所要の露光準備完了予定時間とすることを特徴とする画像形成装置。
【請求項１３】
露光装置と、前記露光装置により作像された潜像を元にトナー像を作成する作像装置を備え、前記トナー像を転写材に定着することにより転写材に対して画像を印刷する画像形成装置における画像形成準備方法であって、
前記露光装置の露光準備動作を開始させるステップＡと、前記ステップＡで開始した露光準備動作の経過時間を計測するステップＢと、前記ステップＢで計測した経過時間が記憶手段に予め記憶している露光準備完了予定時間に一致したときに露光準備完了を判定するステップＣと、前記ステップＢで計測した経過時間が、前記露光準備完了予定時間から作像高電圧の立ち上げ時間を差し引いた時間に一致したときに、前記作像高電圧の立ち上げを開始させるステップＤをさらに備え、前記露光準備完了とほぼ同時に前記作像高電圧の立ち上げを完了させることを特徴とする画像形成準備方法。
【請求項１４】
露光装置と、前記露光装置により作像された潜像を元にトナー像を作成する作像装置を備え、前記トナー像を転写材に定着することにより転写材に対して画像を印刷する画像形成装置における画像形成準備方法であって、
前記露光装置の露光準備動作を開始させるステップＡと、前記ステップＡで開始した露光準備動作の経過時間を計測するステップＢと、前記露光装置の動作準備完了を検知するステップＥと、前記ステップＢにより計測した経過時間が記憶手段に予め記憶している露光準備完了予定時間だけ経過時に、前記ステップＥにより前記露光装置の動作準備完了を検知している場合は、その経過時に前記露光装置の露光準備動作完了を判定するステップＦと、前記ステップＢにより計測された経過時間が記憶手段に記憶している露光準備完了予定時間だけ経過時に、前記ステップＥにより前記露光装置の動作準備完了を検知していない場合は、前記ステップＥにより前記露光装置の動作準備完了を検知した時に前記露光装置の露光準備動作完了を判定するステップＧと、前記ステップＢで計測した経過時間が、前記露光準備完了予定時間から作像高電圧の立ち上げ時間を差し引いた時間に一致したときに、前記作像高電圧の立ち上げを開始させるステップＤをさらに備え、前記露光準備完了とほぼ同時に前記作像高電圧の立ち上げを完了させることを特徴とする画像形成準備方法。
【手続補正２】
【補正対象書類名】明細書
【補正対象項目名】００１８
【補正方法】変更
【補正の内容】
【００１８】
【課題を解決するための手段】
前記目的を達成するため、本発明では、画像形成装置を次の（１）ないし（１２）のとおりに構成し、画像形成方法を次の（１３）、（１４）のとおりに構成する。
（１）露光装置と、前記露光装置により作像された潜像を元にトナー像を作成する作像装置を備え、前記トナー像を転写材に定着することにより転写材に対して画像を印刷する画像形成装置において、
前記露光装置が露光準備動作を開始してから露光準備動作が完了するまでに要する露光準備完了予定時間を予め記憶している記憶手段と、前記露光装置が露光準備動作を開始してから経過した経過時間を計測する計測手段と、前記計測手段により計測した経過時間が前記記憶手段に記憶している露光準備完了予定時間に一致したときに露光準備完了と判定する判定手段と、前記計測手段により計測した経過時間が、前記記憶手段に記憶している露光準備完了予定時間から作像高電圧の立ち上げ時間を差し引いた時間に一致したときに、前記作像高電圧の立ち上げを開始させる手段を備え、前記露光準備完了とほぼ同時に前記作像高電圧の立ち上げを完了させる画像形成装置。
（２）前記（１）記載の画像形成装置において、
前記露光装置は、ポリゴンモータおよびレーザ露光ユニットから構成され、前記作像装置は、前記作像高電圧を発生する高圧ユニット，現像ユニット，トナー補給ユニットから構成されている画像形成装置。
（３）前記（１）記載の画像形成装置において、
前記露光装置は、複数セットから構成され、前記作像装置は、複数セットから構成されている画像形成装置。
（４）前記（１）記載の画像形成装置において、
前記露光装置が露光準備完了するための所要時間は、前記作像装置が作像準備完了するための所要時間よりも長い画像形成装置。
（５）前記（１）記載の画像形成装置において、
前記記憶手段は、複数の露光準備完了予定時間を記憶した露光準備完了予定時間テーブルを有しており、前記露光装置が露光準備動作を開始する直前の前記画像形成装置内の温度および／または湿度を元に、前記露光準備完了予定時間テーブル内の一つの露光準備完了予定時間を選択して所要の露光準備完了予定時間とする画像形成装置。
（６）前記（１）記載の画像形成装置において、
前記記憶手段は、複数の露光準備完了予定時間を記憶した露光準備完了予定時間テーブルを有しており、前記露光装置が露光準備動作を開始する時の画像形成モードに従って、前記複数の露光準備完了予定時間のうちの一つを選択して所要の露光準備完了予定時間とする画像形成装置。
（７）露光装置と、前記露光装置により作像された潜像を元にトナー像を作成する作像装置を備え、前記トナー像を転写材に定着することにより転写材に対して画像を印刷する画像形成装置において、
前記露光装置が露光準備動作を開始してから露光準備動作が完了するまでの露光準備完了予定時間を予め記憶している記憶手段と、前記露光装置が動作を開始してからの経過時間を計測する計測手段と、前記露光装置の動作準備完了を検知する検知手段と、前記計測手段により計測した経過時間が前記記憶手段に記憶されている露光準備完了予定時間だけ経過時に、前記検知手段により前記露光装置の動作準備完了を検知している場合は、前記経過時に露光準備完了を判定し、前記検知手段により前記露光装置の動作準備完了を検知していない場合は、その後前記検知手段により前記露光装置の動作準備完了を検知したときに前記露光装置の露光準備動作完了を判定する判定手段とを備え、前記計測手段により計測した露光準備経過時間が、前記記憶手段に記憶している露光準備完了予定時間から作像高電圧の立ち上げ時間を差し引いた時間に一致したときに、前記作像高電圧の立ち上げを開始させる手段を備え、前記露光準備完了とほぼ同時に前記作像高電圧の立ち上げを完了させる画像形成装置。
（８）前記（７）記載の画像形成装置において、
前記露光装置は、ポリゴンモータおよびレーザ露光ユニットから構成され、前記作像装置は、前記作像高電圧を発生する高圧ユニット，現像ユニット，トナー補給ユニットから構成されている画像形成装置。
（９）前記（７）記載の画像形成装置において、
前記露光装置は、複数セットから構成され、前記作像装置は、複数セットから構成されている画像形成装置。
（１０）前記（７）記載の画像形成装置において、
前記露光装置が露光準備完了するための所要時間は、前記作像装置が作像準備完了するための所要時間よりも長い画像形成装置。
（１１）前記（７）記載の画像形成装置において、
前記記憶手段は、複数の露光準備完了予定時間を記憶した露光準備完了予定時間テーブルを有しており、前記露光装置が露光準備動作を開始する直前の前記画像形成装置内の温度および／または湿度を元に、前記露光準備完了予定時間テーブルのうちの一つ露光準備完了予定時間を選択して所要の露光準備完了予定時間とする画像形成装置。
（１２）前記（７）記載の画像形成装置において、
前記記憶手段は、複数の露光準備完了予定時間を記憶した露光準備完了予定時間テーブルを有しており、前記露光装置が露光準備動作を開始する時の画像形成モードに従って、前記複数の露光準備完了予定時間のうちの一つを選択して所要の露光準備完了予定時間とする画像形成装置。
（１３）露光装置と、前記露光装置により作像された潜像を元にトナー像を作成する作像装置を備え、前記トナー像を転写材に定着することにより転写材に対して画像を印刷する画像形成装置における画像形成準備方法であって、
前記露光装置の露光準備動作を開始させるステップＡと、前記ステップＡで開始した露光準備動作の経過時間を計測するステップＢと、前記ステップＢで計測した経過時間が記憶手段に予め記憶している露光準備完了予定時間に一致したときに露光準備完了を判定するステップＣと、前記ステップＢで計測した経過時間が、前記露光準備完了予定時間から作像高電圧の立ち上げ時間を差し引いた時間に一致したときに、前記作像高電圧の立ち上げを開始させるステップＤをさらに備え、前記露光準備完了とほぼ同時に前記作像高電圧の立ち上げを完了させる画像形成準備方法。
（１４）露光装置と、前記露光装置により作像された潜像を元にトナー像を作成する作像装置を備え、前記トナー像を転写材に定着することにより転写材に対して画像を印刷する画像形成装置における画像形成準備方法であって、
前記露光装置の露光準備動作を開始させるステップＡと、前記ステップＡで開始した露光準備動作の経過時間を計測するステップＢと、前記露光装置の動作準備完了を検知するステップＥと、前記ステップＢにより計測した経過時間が記憶手段に予め記憶している露光準備完了予定時間だけ経過時に、前記ステップＥにより前記露光装置の動作準備完了を検知している場合は、その経過時に前記露光装置の露光準備動作完了を判定するステップＦと、前記ステップＢにより計測された経過時間が記憶手段に記憶している露光準備完了予定時間だけ経過時に、前記ステップＥにより前記露光装置の動作準備完了を検知していない場合は、前記ステップＥにより前記露光装置の動作準備完了を検知した時に前記露光装置の露光準備動作完了を判定するステップＧと、前記ステップＢで計測した経過時間が、前記露光準備完了予定時間から作像高電圧の立ち上げ時間を差し引いた時間に一致したときに、前記作像高電圧の立ち上げを開始させるステップＤをさらに備え、前記露光準備完了とほぼ同時に前記作像高電圧の立ち上げを完了させる画像形成準備方法。
【手続補正３】
【補正対象書類名】明細書
【補正対象項目名】００１９
【補正方法】削除
【補正の内容】
【手続補正４】
【補正対象書類名】明細書
【補正対象項目名】００２０
【補正方法】削除
【補正の内容】
【手続補正５】
【補正対象書類名】明細書
【補正対象項目名】００２１
【補正方法】削除
【補正の内容】
【手続補正６】
【補正対象書類名】明細書
【補正対象項目名】００２２
【補正方法】削除
【補正の内容】
【手続補正７】
【補正対象書類名】明細書
【補正対象項目名】００２３
【補正方法】削除
【補正の内容】
【手続補正８】
【補正対象書類名】明細書
【補正対象項目名】００２４
【補正方法】削除
【補正の内容】
【手続補正９】
【補正対象書類名】明細書
【補正対象項目名】００２５
【補正方法】削除
【補正の内容】
【手続補正１０】
【補正対象書類名】明細書
【補正対象項目名】００２６
【補正方法】削除
【補正の内容】
【手続補正１１】
【補正対象書類名】明細書
【補正対象項目名】００２７
【補正方法】削除
【補正の内容】
【手続補正１２】
【補正対象書類名】明細書
【補正対象項目名】００２８
【補正方法】削除
【補正の内容】
【手続補正１３】
【補正対象書類名】明細書
【補正対象項目名】００２９
【補正方法】削除
【補正の内容】
【手続補正１４】
【補正対象書類名】明細書
【補正対象項目名】００３０
【補正方法】削除
【補正の内容】
【手続補正１５】
【補正対象書類名】明細書
【補正対象項目名】００３１
【補正方法】削除
【補正の内容】
【手続補正１６】
【補正対象書類名】明細書
【補正対象項目名】００３２
【補正方法】削除
【補正の内容】
【手続補正１７】
【補正対象書類名】明細書
【補正対象項目名】００３３
【補正方法】削除
【補正の内容】
【手続補正１８】
【補正対象書類名】明細書
【補正対象項目名】００３４
【補正方法】削除
【補正の内容】
【手続補正１９】
【補正対象書類名】明細書
【補正対象項目名】００３５
【補正方法】削除
【補正の内容】
【手続補正２０】
【補正対象書類名】明細書
【補正対象項目名】００３６
【補正方法】削除
【補正の内容】
【手続補正２１】
【補正対象書類名】明細書
【補正対象項目名】００３７
【補正方法】削除
【補正の内容】
【手続補正２２】
【補正対象書類名】明細書
【補正対象項目名】００３８
【補正方法】削除
【補正の内容】
【手続補正２３】
【補正対象書類名】明細書
【補正対象項目名】００３９
【補正方法】削除
【補正の内容】
【手続補正２４】
【補正対象書類名】明細書
【補正対象項目名】００４０
【補正方法】削除
【補正の内容】
【手続補正２５】
【補正対象書類名】明細書
【補正対象項目名】００５８
【補正方法】変更
【補正の内容】
【００５８】
【発明の効果】
以上説明したように、請求項１ないし６、１３に記載の発明によれば、ポリゴンモータを予備回転させることなしに、なおかつ変動するポリゴンモータの立ち上がり時間にも対応して、最適なタイミングで画像形成準備を完了させることができる。また、請求項７ないし１２、１４に記載の発明によれば、ポリゴンモータの立ち上がりが予測された立ち上がり時間と比較して長く要した場合であっても、ポリゴンモータの立ち上がり信号を監視することにより、確実に画像形成準備を完了させることができる。
【手続補正２６】
【補正対象書類名】明細書
【補正対象項目名】００５９
【補正方法】変更
【補正の内容】
【００５９】
請求項１，７，１３，１４に記載の発明によれば、露光準備完了と同時に作像高電圧の立ち上げを完了させることができる。